(57)【要約】【課題】ケーブルをモジュラジャックから取り外すことなく取り付けられる脱落防止具を提供する。【解決手段】モジュラプラグを包むように覆うモジュラプラグ脱落防止具４であって、モジュラプラグを包むように覆った後、該覆った状態を保持するためのファスナーと、モジュラプラグを覆った状態でモジュラプラグ先端に向かって押し込まれることにより、モジュラプラグをモジュラジャックに固定するロッキングアームの下に滑り込み該ロッキングアームを下面から支える先端部Ｃと、を有することを特徴とする。【選択図】図５
2011210580.tif 000002
【特許請求の範囲】
【請求項１】
モジュラプラグを包むように覆うモジュラプラグ脱落防止具であって、
前記モジュラプラグを包むように覆った後、該覆った状態を保持するためのファスナーと、
前記モジュラプラグを該覆った状態で前記モジュラプラグ先端に向かって押し込まれることにより、前記モジュラプラグをモジュラジャックに固定するロッキングアームの下に滑り込み該ロッキングアームを下面から支える先端部と、
を有することを特徴とするモジュラプラグ脱落防止具。
【請求項２】
さらにヒンジを備え、該ヒンジを介して開閉自在であり、
該開いた状態から前記モジュラプラグを包むように覆い、前記ファスナーで該覆った状態を保持することを特徴とする請求項１に記載のモジュラプラグ脱落防止具。
【請求項３】
前記ファスナーは、ネジ又は互いに嵌合する面の一方に突起、他方に凹部を設け、それらが互いに嵌り込むものであることを特徴とする請求項１又は２に記載のモジュラプラグ脱落防止具。
【請求項４】
前記モジュラジャックとの接触面に磁石を備えたことを特徴とする請求項１乃至３に記載のモジュラプラグ脱落防止具。
【請求項５】
モジュラプラグ脱落防止の方法であって、
モジュラプラグを包むように覆うモジュラプラグ脱落防止具で前記モジュラプラグを覆う手順と、
該覆った状態を保持する前記モジュラプラグ脱落防止具のファスナーを固定する手順と、
前記モジュラプラグを該覆った状態で前記モジュラプラグ脱落防止具が前記モジュラプラグ先端に向かって押し込まれることにより、前記モジュラプラグ脱落防止具の先端部が、前記モジュラプラグをモジュラジャックに固定するロッキングアームの下に滑り込む手順と、
を有することを特徴とするモジュラプラグ脱落防止の方法。
【発明の詳細な説明】
【技術分野】
【０００１】
本発明は、安価でありながら、ケーブルを取り外すことなく設置できる、ケーブルのモジュラプラグ脱落防止具に関する。
【背景技術】
【０００２】
図１に示すように、ＬＡＮケーブルに用いられるＲＪ４５等のモジュラプラグ１は、ロッキングアーム２により、図２に示したモジュラジャック３に固定される機構を持っている。
【０００３】
この機構において、モジュラプラグ１のモジュラジャック３への差込が不十分であった場合、差込後暫くの間は正常に通信を行うことができていたケーブルが、使用中に、踏みつけ、引っ張り等でケーブルに負荷が掛かる等してモジュラジャックよりモジュラプラグが抜けた状態になり、通信異常になる場合がある。
【０００４】
このような理由から、モジュラプラグをモジュラジャックに固定し、ケーブルの抜けを防止する機構が必要である。
【０００５】
しかしながら、現状で、モジュラプラグに鍵がついている等、ケーブル自体にロック機構を付けているケースはあるが、壁に埋め込まれている等でケーブルの交換が容易ではない場合には対処が困難であるし、そもそも常時稼働するサーバ等ではケーブルを安易に外すことが出来ない。
【０００６】
そこで、特許文献１には、モジュラプラグ脱落防止具が開示されている。
【先行技術文献】
【特許文献】
【０００７】
【特許文献１】特開２００７−１５７６５４号公報
【発明の概要】
【発明が解決しようとする課題】
【０００８】
しかしながら、特許文献１に開示されている発明は、モジュラプラグ脱落防止具を、ケーブルをモジュラジャックに差し込む前に、あらかじめモジュラジャックの根元からケーブル側に、このケーブルがモジュラプラグ脱落防止具の内部を貫通するように取り付けなければならないという問題点があり、その取り付け方が明示されていない。
【０００９】
本発明は上記に鑑みてなされたもので、安価でケーブルをモジュラジャックから取り外すことなく取り付けられるモジュラプラグ脱落防止具を提供することを目的とする。
【課題を解決するための手段】
【００１０】
上述の問題を解決するため、本発明に係るモジュラプラグ脱落防止具は、モジュラプラグを包むように覆うモジュラプラグ脱落防止具であって、前記モジュラプラグを包むように覆った後、該覆った状態を保持するためのファスナーと、前記モジュラプラグを該覆った状態で前記モジュラプラグ先端に向かって押し込まれることにより、前記モジュラプラグをモジュラジャックに固定するロッキングアームの下に滑り込み該ロッキングアームを下面から支える先端部と、を有することを特徴とする。
【発明の効果】
【００１１】
本発明によれば、安価でケーブルをモジュラジャックから取り外すことなく取り付けられるモジュラプラグ脱落防止具を提供することができる。
【図面の簡単な説明】
【００１２】
【図１】モジュラプラグの構成図である。
【図２】モジュラプラグがモジュラジャックに正常に差し込まれた状態を示す断面図である。
【図３】モジュラプラグがモジュラジャックに正常に差し込まれた状態を示す断面図である。
【図４】モジュラプラグのモジュラジャックへの差し込みが不十分な状態を示す断面図である。
【図５】本発明の実施の形態に係るモジュラプラグ脱落防止具の構成図である。
【図６】図５の拡大図である。
【図７】本発明の実施の形態に係るモジュラプラグ脱落防止具の先端部が、モジュラプラグのロッキングアームの角度Ａを維持する様子を示した概略図である。
【図８】本発明のその他の実施の形態に係るモジュラプラグ脱落防止具の構成図及び断面図である。
【発明を実施するための形態】
【００１３】
以下、図面を参照しながら、本発明の実施の形態について詳細に説明する。ここで、図３は、モジュラプラグがモジュラジャックに正常に差し込まれた状態を示す断面図である。
【００１４】
また、図４は、モジュラプラグのモジュラジャックへの差し込みが不十分な状態を示す断面図である。
【００１５】
これら図３及び図４を比較すると、図３のモジュラプラグが正常に挿さった状態におけるロッキングアームの角度Ａに比べ、図４のモジュラプラグの差込が不十分な状態におけるロッキングアームの角度Ｂは小さい。すなわちロッキングアームの角度をＡに保つことで、モジュラプラグをモジュラジャックに固定することが可能になる。
【００１６】
図５は、本発明の実施の形態に係るモジュラプラグ脱落防止具の構成図である。本実施の形態におけるモジュラプラグ脱落防止具４は、材質に金属又は弾性係数の高いゴム等ロッキングアームをＡの角度に保つことが可能なものを用い、ロッキングアームを除くモジュラプラグの外周を覆うように取り付けられ、その先端部Ｃがロッキングアームの下に潜り込むようになっている。
【００１７】
図６は、図５の拡大図である。本実施の形態に係るモジュラプラグ脱落防止具の先端部Ｅの厚みＦをモジュラプラグのロッキングアームと接触する地点Ｇにおいて、ロッキングアームの角度Ａ（抜けない角度）が保てるように設定する。これによりモジュラプラグのロッキングアームの角度は常に正常（抜けない角度）に保つことが可能となる。
【００１８】
図７は、本実施の形態に係るモジュラプラグ脱落防止具の先端部が、モジュラプラグのロッキングアームの角度Ａを維持する様子を示した概略図である。この図７によると、本実施の形態に係るモジュラプラグ脱落防止具は、ロッキングアームの下に先端部を侵入させ、この先端部がロッキングアームを下面から支えることにより、角度Ａを保つことができる。
【００１９】
また、本実施の形態に係るモジュラプラグ脱落防止具は、図５の下面Ｄでネジ等のファスナーによって着脱可能な状態にしておく。これにより、既にモジュラジャックにモジュラプラグが接続済の装置でも、接続を外すことなく本実施の形態に係るモジュラプラグ脱落防止具が着脱可能となる。
【００２０】
本実施の形態に用いられるファスナーは、前述のネジのほかに、本実施の形態に係るモジュラプラグ脱落防止具が互いに嵌合するようなものでもよい。例えば、本実施の形態に係るモジュラプラグ脱落防止具が、ヒンジ部を介して開閉し得るものであって、該ヒンジ部とは相対する部分にファスナーを設け、該ファスナーは、ネジのほかに、互いに嵌合する面の一方に突起、他方に凹部を設け、それらが互いに嵌り込むようなものでもよい。
【００２１】
このようなヒンジ部とファスナーとを備えることによって、本実施の形態に係るモジュラプラグ脱落防止具は、ケーブルをモジュラジャックから取り外すことなく、取り付けられているケーブルを包むように取り付けることができる。
【００２２】
すなわち本実施の形態では、図２のように、モジュラプラグをモジュラジャックに挿入する。次いで、図５のように、本実施の形態に係るモジュラプラグ脱落防止具でモジュラプラグを包むように覆う。この際、モジュラプラグのロッキングアームが正常な角度（角度Ａ）を保てるように本機構をロッキングアームと接触する地点（地点Ｇ）まで、本実施の形態に係るモジュラプラグ脱落防止具をモジュラプラグ先端に向かって、しっかりと押し込む。
【００２３】
さらに、図５の下面Ｄで、ネジ又はプラスティック同士が嵌合する等のファスナーを用いて外れないように固定するというものである。
【００２４】
又は、ヒンジ部を設けずに、モジュラプラグ脱落防止具は、二分割された二の部品で構成され、これら二の部品でモジュラプラグをサンドイッチするように覆い、ファスナーで覆った状態を保持するようにしてもよい。この場合、ヒンジ部を備える代わりに、ネジ又はプラスティック同士が嵌合する等のファスナーは二カ所以上に設ける。
【００２５】
[その他の実施の形態]
図８は、その他の実施の形態に係るモジュラプラグ脱落防止具の構成図及び断面図である。この、その他の実施の形態では、モジュラジャックとの接触面５に磁石を設けている。
【００２６】
対するモジュラジャックの周囲が、ＰＣＩ（Peripheral Component Interconnect）スロットのように鉄製である場合、接触面５に設けられた磁石により、モジュラプラグはモジュラジャックに固定され得る。このようにモジュラプラグをモジュラジャックの周囲に磁力によって接着可能とすることにより、ケーブルが抜けることを防止する。
【００２７】
この、その他の実施の形態に係るモジュラプラグ脱落防止具によれば、磁力によってより強固に固定することが可能である。
【００２８】
上記の実施形態の一部又は全部は、以下の付記のようにも記載されうるが、以下には限られない。
【００２９】
（付記１）モジュラプラグを包むように覆うモジュラプラグ脱落防止具であって、前記モジュラプラグを包むように覆った後、該覆った状態を保持するためのファスナーと、前記モジュラプラグを該覆った状態で前記モジュラプラグ先端に向かって押し込まれることにより、前記モジュラプラグをモジュラジャックに固定するロッキングアームの下に滑り込み該ロッキングアームを下面から支える先端部と、を有することを特徴とするモジュラプラグ脱落防止具。
【００３０】
（付記２）さらにヒンジを備え、該ヒンジを介して開閉自在であり、該開いた状態から前記モジュラプラグを包むように覆い、前記ファスナーで該覆った状態を保持することを特徴とする付記１に記載のモジュラプラグ脱落防止具。
【００３１】
（付記３）前記ファスナーは、ネジ又は互いに嵌合する面の一方に突起、他方に凹部を設け、それらが互いに嵌り込むものであることを特徴とする付記１又は２に記載のモジュラプラグ脱落防止具。
【００３２】
（付記４）前記モジュラジャックとの接触面に磁石を備えたことを特徴とする付記１乃至３に記載のモジュラプラグ脱落防止具。
【００３３】
（付記５）モジュラプラグ脱落防止の方法であって、モジュラプラグを包むように覆うモジュラプラグ脱落防止具で前記モジュラプラグを覆う手順と、該覆った状態を保持する前記モジュラプラグ脱落防止具のファスナーを固定する手順と、前記モジュラプラグを該覆った状態で前記モジュラプラグ脱落防止具が前記モジュラプラグ先端に向かって押し込まれることにより、前記モジュラプラグ脱落防止具の先端部が、前記モジュラプラグをモジュラジャックに固定するロッキングアームの下に滑り込む手順と、を有することを特徴とするモジュラプラグ脱落防止の方法。
【産業上の利用可能性】
【００３４】
本発明は、サーバ、パーソナルコンピュータ、プリンタ等の通信機能を有する電子機器に接続されるモジュラプラグに用いることができる。
【符号の説明】
【００３５】
１  モジュラプラグ
２  ロッキングアーム
３  モジュラジャック
４  モジュラプラグ脱落防止具
Ａ  角度
Ｂ  角度
Ｃ  先端部
Ｄ  下面
Ｅ  先端部
Ｆ  厚み
Ｇ  地点
【図１】
2011210580.tif 000003
【図２】
2011210580.tif 000004
【図３】
2011210580.tif 000005
【図４】
2011210580.tif 000006
【図５】
2011210580.tif 000007
【図６】
2011210580.tif 000008
【図７】
2011210580.tif 000009
【図８】
2011210580.tif 000010